(57)【要約】      （修正有）【課題】短縮ダイヤルに関連づけられた情報を、ユーザーに複雑な操作をさせることなく容易に認識させる。【解決手段】直接ダイヤルモードと、短縮ダイヤルモードとの切り換えを受け付け、前記直接ダイヤルモードにおいて、ユーザーのボタンに対する操作に応じて回線番号の設定を受け付け、前記短縮ダイヤルモードにおいて、前記ユーザーに操作された前記ボタンが示す短縮番号に基づいて、当該短縮番号に対応づけられた前記回線番号の設定を受け付け、設定された前記回線番号との通信を通信開始指示に応じて開始し、前記短縮ダイヤルモードにおいて、前記ボタンが操作される前に、前記ボタンに対応付けて記憶されている前記回線番号に関連する情報を案内する案内表示を前記ボタンと対応付けて画面に表示させる。【選択図】図１
2011130055.tif 000002
【特許請求の範囲】
【請求項１】
複数のボタンを画面に表示させる表示制御手段と、
回線番号を前記回線番号より短い短縮番号に対応付けて記憶する記憶手段と、
前記回線番号を構成する全ての番号の入力を受け付けることにより前記回線番号を設定する直接ダイヤルモードと、前記短縮番号に対応する前記ボタンの操作を受け付けることによって前記回線番号を設定する短縮ダイヤルモードとの切り換えを受け付ける切り換え手段と、
前記直接ダイヤルモードにおいて、ユーザーの前記ボタンに対する操作に応じて前記回線番号の設定を受け付ける直接設定手段と、
前記短縮ダイヤルモードにおいて、前記ユーザーに操作された前記ボタンが示す短縮番号に基づいて、当該短縮番号に対応づけられた前記回線番号の設定を受け付ける短縮設定手段と、
設定された前記回線番号との通信を通信開始指示に応じて開始する通信制御手段と、
を備え、
前記表示制御手段は、前記短縮ダイヤルモードにおいて、前記ボタンが操作される前に、前記ボタンに対応付けて記憶されている前記回線番号に関連する情報を案内する案内表示を前記ボタンと対応付けて前記画面に表示させる、
通信処理装置。
【請求項２】
前記表示制御手段は、前記短縮ダイヤルモードにおいて、前記ユーザーの操作に連動して前記画面内を動くポインターが前記ボタンの位置に重ねられたとき、前記ポインターが重ねられた前記ボタンに対応する前記案内表示を前記画面に表示させる、
請求項１に記載の通信処理装置。
【請求項３】
前記画面に表示された前記案内表示に対する操作を受け付け、前記案内表示が操作された場合に、前記案内表示において案内されている前記回線番号または前記短縮番号の変更を受け付け、前記記憶手段に記憶されている前記回線番号に関連する情報または前記短縮番号を前記変更に基づいて更新する変更手段を備える、
請求項１または請求項２に記載の通信処理装置。
【請求項４】
複数の短縮ダイヤルボタンを含む複数のボタンを画面に表示させる表示制御手段と、
ユーザーの操作に連動して画面内を動くポインターが指し示す前記ボタンに対する操作を受け付ける受け付け手段と、
回線番号を前記短縮ダイヤルボタンに対応付けて記憶する記憶手段と、
前記短縮ダイヤルボタンが前記ポインターを用いて操作された場合、操作された前記短縮ダイヤルボタンに対応付けて記憶されている前記回線番号の設定を受け付ける短縮設定手段と、
設定された前記回線番号との通信を通信開始指示に応じて開始する通信制御手段と、
を備え、
前記表示制御手段は、前記短縮ダイヤルボタンが操作される前であって、前記ポインターが前記短縮ダイヤルボタンの位置に重ねられたとき、前記ポインターが重ねられた前記短縮ダイヤルボタンに対応付けて記憶されている回線番号に関連する情報を案内する案内表示を前記短縮ダイヤルボタンと対応付けて前記画面に表示させる、
通信処理装置。
【請求項５】
複数のボタンを画面に表示させる表示制御工程と、
回線番号を前記回線番号より短い短縮番号に対応付けて記憶する記憶工程と、
前記回線番号を構成する全ての番号の入力を受け付けることにより前記回線番号を設定する直接ダイヤルモードと、前記短縮番号に対応する前記ボタンの操作を受け付けることによって前記回線番号を設定する短縮ダイヤルモードとの切り換えを受け付ける切り換え工程と、
前記直接ダイヤルモードにおいて、ユーザーの前記ボタンに対する操作に応じて前記回線番号の設定を受け付ける直接設定工程と、
前記短縮ダイヤルモードにおいて、前記ユーザーに操作された前記ボタンが示す短縮番号に基づいて、当該短縮番号に対応づけられた前記回線番号の設定を受け付ける短縮設定工程と、
設定された前記回線番号との通信を通信開始指示に応じて開始する通信制御工程と、
を含み、
前記表示制御工程は、前記短縮ダイヤルモードにおいて、前記ボタンが操作される前に、前記ボタンに対応付けて記憶されている前記回線番号に関連する情報を案内する案内表示を前記ボタンと対応付けて前記画面に表示させる、
通信処理方法。
【請求項６】
複数の短縮ダイヤルボタンを含む複数のボタンを画面に表示させる表示制御工程と、
ユーザーの操作に連動して画面内を動くポインターが指し示す前記ボタンに対する操作を受け付ける受け付け工程と、
回線番号を前記短縮ダイヤルボタンに対応付けて記憶する記憶工程と、
前記短縮ダイヤルボタンが前記ポインターを用いて操作された場合、操作された前記短縮ダイヤルボタンに対応付けて記憶されている前記回線番号の入力を受け付ける短縮設定工程と、
設定された前記回線番号との通信を通信開始指示に応じて開始する通信制御工程と、
を含み、
前記表示制御工程においては、前記短縮ダイヤルボタンが操作される前であって、前記ポインターが前記短縮ダイヤルボタンの位置に重ねられたとき、前記ポインターが重ねられた前記短縮ダイヤルボタンに対応付けて記憶されている回線番号に関連する情報を案内する案内表示を前記ボタンと対応付けて前記画面に表示させる、
通信処理方法。
【請求項７】
複数のボタンを画面に表示させる表示制御機能と、
回線番号を前記回線番号より短い短縮番号に対応付けて記憶する記憶機能と、
前記回線番号を構成する全ての番号の入力を受け付けることにより前記回線番号を設定する直接ダイヤルモードと、前記短縮番号に対応する前記ボタンの操作を受け付けることによって前記回線番号を設定する短縮ダイヤルモードとの切り換えを受け付ける切り換え機能と、
前記直接ダイヤルモードにおいて、ユーザーの前記ボタンに対する操作に応じて前記回線番号の設定を受け付ける直接設定機能と、
前記短縮ダイヤルモードにおいて、前記ユーザーに操作された前記ボタンが示す短縮番号に基づいて、当該短縮番号に対応づけられた前記回線番号の設定を受け付ける短縮設定機能と、
設定された前記回線番号との通信を通信開始指示に応じて開始する通信制御機能と、
を備え、
前記表示制御機能は、前記短縮ダイヤルモードにおいて、前記ボタンが操作される前に、前記ボタンに対応付けて記憶されている前記回線番号に関連する情報を案内する案内表示を前記ボタンと対応付けて前記画面に表示させる、
通信処理プログラム。
【請求項８】
複数の短縮ダイヤルボタンを含む複数のボタンを画面に表示させる表示制御機能と、
ユーザーの操作に連動して画面内を動くポインターが指し示す前記ボタンに対する操作を受け付ける受け付け機能と、
回線番号を前記短縮ダイヤルボタンに対応付けて記憶する記憶機能と、
前記短縮ダイヤルボタンが前記ポインターを用いて操作された場合、操作された前記短縮ダイヤルボタンに対応付けて記憶されている前記回線番号の入力を受け付ける短縮設定機能と、
設定された前記回線番号との通信を通信開始指示に応じて開始する通信制御機能と、
を備え、
前記表示制御機能は、前記短縮ダイヤルボタンが操作される前であって、前記ポインターが前記短縮ダイヤルボタンの位置に重ねられたとき、前記ポインターが重ねられた前記短縮ダイヤルボタンに対応付けて記憶されている回線番号に関連する情報を案内する案内表示を前記短縮ダイヤルボタンと対応付けて前記画面に表示させる、
通信処理プログラム。
【発明の詳細な説明】
【技術分野】
【０００１】
本発明は、短縮ダイヤル機能を有する通信処理装置、方法、プログラムに関する。
【背景技術】
【０００２】
従来、ファクシミリ（ＦＡＸ）において、ＦＡＸ番号を、当該ＦＡＸ番号より短い、例えば１桁や３桁程度の数字等に割り当て、その数字を入力すると、対応するＦＡＸ番号が送信先ＦＡＸ番号として設定される短縮ダイヤル機能が知られている（例えば特許文献１，２）。また、パーソナルコンピューターのアプリケーションプログラムとして、ＦＡＸ送信や電話発信の機能を提供する通信系アプリケーションプログラムが知られている。
【先行技術文献】
【特許文献】
【０００３】
【特許文献１】特開平５−１１０７４８号公報
【特許文献２】特開平５−２０７２５３号公報
【発明の概要】
【発明が解決しようとする課題】
【０００４】
しかし従来は、上述のような通信系アプリケーションプログラムを使用するユーザーは、短縮番号にどの電話番号やＦＡＸ番号が関連づけられて登録されているのかを容易に確認することができなかった。そのためユーザーは、所望のＦＡＸ番号などに対応する短縮番号を自身の記憶に基づいて入力するか、あるいは短縮番号の登録画面を表示させて短縮番号と関連づけられた情報を確認してから短縮番号を入力する必要があった。
本発明は、短縮ダイヤルに関連づけられた情報を、ユーザーに複雑な操作をさせることなく容易に認識させることができることを目的の１つとする。
【課題を解決するための手段】
【０００５】
（１）上記目的を達成するための通信処理装置は、複数のボタンを画面に表示させる表示制御手段と、回線番号を前記回線番号より短い短縮番号に対応付けて記憶する記憶手段と、前記回線番号を構成する全ての番号の入力を受け付けることにより前記回線番号を設定する直接ダイヤルモードと、前記短縮番号に対応する前記ボタンの操作を受け付けることによって前記回線番号を設定する短縮ダイヤルモードとの切り換えを受け付ける切り換え手段と、前記直接ダイヤルモードにおいて、ユーザーの前記ボタンに対する操作に応じて前記回線番号の設定を受け付ける直接設定手段と、前記短縮ダイヤルモードにおいて、前記ユーザーに操作された前記ボタンが示す短縮番号に基づいて、当該短縮番号に対応づけられた前記回線番号の設定を受け付ける短縮設定手段と、設定された前記回線番号との通信を通信開始指示に応じて開始する通信制御手段と、を備え、前記表示制御手段は、前記短縮ダイヤルモードにおいて、前記ボタンが操作される前に、前記ボタンに対応付けて記憶されている前記回線番号に関連する情報を案内する案内表示を前記ボタンと対応付けて前記画面に表示させる。
【０００６】
本発明によると、短縮ダイヤルモードが選択されているとき、ユーザーは短縮番号に対応するボタンを操作する前にそのボタンに対応付けて記憶されている回線番号に関連する情報を確認することができる。すなわち、ユーザーは、短縮番号に対応付けて登録済みの回線番号を確認するための一覧を提示するＵＩ（User Interface）などを表示させる操作をすることなく、ボタンに対応する回線番号を確認することができる。なお、回線番号に関連する情報とは、回線番号を持つ相手先をユーザーが識別することができる情報であればどのような態様であってもよい。例えば、回線番号を案内してもよいし、回線番号とともに記憶手段に記憶されている当該回線番号を持つ相手先の情報（例えば氏名や名称やその他の情報など）を案内してもよいし、その両方を案内してもよい。
【０００７】
（２）上記目的を達成するための通信処理装置において、前記表示制御手段は、前記短縮ダイヤルモードにおいて、ユーザーの操作に連動して前記画面内を動くポインターが前記ボタンの位置に重ねられたとき、前記ポインターが重ねられた前記ボタンに対応する前記案内表示を前記画面に表示させてもよい。
【０００８】
本発明によると、ユーザーが短縮番号に対応するボタンを操作する前であって、ユーザーがポインターを短縮番号に対応するボタンの位置に重ねたとき、そのボタンに対応する回線番号に関連する情報が表示されるので、ユーザーは自分が操作しようとするボタンに対応する回線番号に関連する情報を操作前に認識することができる。
【０００９】
（３）上記目的を達成するための通信処理装置において、前記画面に表示された前記案内表示に対する操作を受け付け、前記案内表示が操作された場合に、前記案内表示において案内されている前記回線番号に関連する情報または前記短縮番号の変更を受け付け、前記記憶手段に記憶されている前記回線番号に関連する情報または前記短縮番号を前記変更に基づいて更新する変更手段を備えてもよい。
【００１０】
本発明によると、従来のような例えば短縮番号と登録済みの回線番号との一覧を提示するＵＩを改めて表示させたうえで、変更したい短縮番号と回線番号の組を選択して編集ＵＩを表示させる等といった操作をユーザーは行う必要がなく、少ない操作で登録済みの回線番号に関連する情報や、回線番号に関連する情報と短縮番号との対応付けを編集することができる。
【００１１】
（４）上記目的を達成するための通信処理装置は、複数の短縮ダイヤルボタンを含む複数のボタンを画面に表示させる表示制御手段と、ユーザーの操作に連動して前記画面内を動くポインターが指し示す前記ボタンに対する操作を受け付ける受け付け手段と、前記短縮ダイヤルボタンに対応付けて回線番号を記憶する記憶手段と、前記短縮ダイヤルボタンが前記ポインターを用いて操作された場合、操作された前記短縮ダイヤルボタンに対応付けて記憶されている前記回線番号の設定を受け付ける短縮設定手段と、設定された前記回線番号との通信を通信開始指示に応じて開始する通信制御手段と、を備え、前記表示制御手段は、短縮ダイヤルボタンが操作される前であって、前記ポインターが前記短縮ダイヤルボタンの位置に重ねられたとき、前記ポインターが重ねられた前記短縮ダイヤルボタンに対応付けて記憶されている回線番号に関連する情報を案内する案内表示を前記短縮ダイヤルボタンと対応付けて前記画面に表示させる。
【００１２】
本発明によると、ユーザーはいずれかの短縮ダイヤルボタンの位置にポインターを重ねると、当該短縮ダイヤルボタンに対応付けて記憶されている回線番号に関連する情報を確認することができる。
【００１３】
さらに、上記手法は、プログラムや方法としても適用可能である。請求項に記載された動作の順序は、技術的な阻害要因がない限りにおいて記載順に限定されず、同時に実行されても良いし、記載順の逆順に実行されても良いし、連続した順序で実行されなくても良い。また、以上のような装置、プログラム、方法は、単独の装置として実現される場合もあれば、他の装置と共有の部品を利用して実現される場合もあり、各種の態様を含むものである。例えば、以上のような装置を備えた通信処理システムや方法、プログラムを提供することが可能である。また、一部がソフトウェアであり一部がハードウェアであったりするなど、適宜、変更可能である。さらに、装置を制御するプログラムの記録媒体としても発明は成立する。むろん、そのソフトウェアの記録媒体は、磁気記録媒体であってもよいし光磁気記録媒体であってもよいし、今後開発されるいかなる記録媒体においても全く同様に考えることができる。
【図面の簡単な説明】
【００１４】
【図１】（１Ａ）は本発明の実施形態にかかる通信処理装置のブロック図、（１Ｂ）は第一実施形態にかかる通信処理プログラムのブロック図。
【図２】（２Ａ）、（２Ｃ）、（２Ｄ）は第一実施形態にかかるＵＩを示す模式図、（２Ｂ）は連絡先情報の例を示す図。
【図３】第二実施形態にかかるＵＩを示す模式図。
【図４】（４Ａ）は第三実施形態にかかる通信処理プログラムのブロック図、（４Ｂ）は第三実施形態にかかるＵＩを示す模式図。
【図５】（５Ａ）、（５Ｃ）は第四実施形態にかかるＵＩを示す模式図、（５Ｂ）は第四実施形態にかかる連絡先情報の例を示す図。
【発明を実施するための形態】
【００１５】
以下、本発明の実施の形態を添付図面を参照しながら以下の順に説明する。尚、各図において対応する構成要素には同一の符号が付され、重複する説明は省略される。
【００１６】
１．第一実施形態
図１Ａは本発明の実施形態にかかる通信処理装置の構成を示すブロック図である。通信処理装置は、ＣＰＵ，ＲＯＭ，ＲＡＭ等を備える制御部２０、ハードディスク装置（ＨＤＤ）３０、通信部４０等を備えるパーソナルコンピューター（ＰＣ）１によって構成されている。ＰＣ１には、ＰＣ１を操作するためのキーボード７０，マウス７１などの操作入力装置やディスプレイ７２、マイク７３、スピーカー７４が図示しないインターフェイスを介して接続されている。通信部４０は、インターネットなどのネットワークに接続し、同じくネットワークに接続する他の機器と音声データをはじめとする様々なデータを送受信するためのインターフェイスである。
【００１７】
ＰＣ１には、ＰＣ１を通信処理装置として機能させるための通信処理プログラム３１がインストールされている（図１Ｂ参照）。通信処理プログラム３１はＨＤＤ３０に格納されており、実行時は適宜ＲＡＭにロードされる。通信処理プログラム３１は、本実施形態ではインターネット電話アプリケーションプログラムとして構成されている。通信処理プログラム３１は、ユーザーから通話相手の電話番号の設定を受け付け、通話相手との通話を実現する機能を実現するために、表示制御部３１ａと、記憶部３１ｂと、切り換え部３１ｃと、直接入力部３１ｄと、短縮入力部３１ｅと、通信制御部３１ｆと、変更部３１ｇと、を備えている。
【００１８】
また、ＨＤＤ３０には、通信処理プログラム３１によって管理されている連絡先情報３２が格納されている。連絡先情報は、通信処理プログラム３１を利用してインターネット電話等の通信を行うのに際してその通信先を識別するための回線番号などの情報を含んでいる。本実施形態では、回線番号とは具体的には電話番号を表しており、通信の相手先の電話番号とその相手先の名前とが、短縮番号に対応付けて記憶されている。相手先に関する他の情報も記憶されていてもよい。もちろん、短縮番号に対応付けられていない回線番号やその番号に関連する情報が記憶されていてもよい。短縮番号とは、回線番号を構成する数字より桁数（文字数）の少ない数字や、数字と記号の組み合わせ等により構成される番号である。短縮番号がユーザーによって入力されると、通信処理プログラム３１の処理によって短縮番号と対応して登録されている回線番号が呼び出され設定される。回線番号を構成する数字のボタンをいちいち全て入力する手間を軽減するために、通信処理プログラム３１には、前述のような短縮ダイヤル機能が備えられている。なお、短縮ダイヤルのための識別子は数字を含んで構成される態様に限らず、例えば文字や他の様々な記号やそれらの組み合わせで表現されたものであってもよい。
【００１９】
表示制御部３１ａは、ディスプレイ７２の画面に、「０」〜「９」の数字ボタンや、モード切り換えボタンや、通信開始を指示するためのボタンを含む電話発信ＵＩを、ディスプレイ７２の画面に表示させる機能をＰＣ１に実現させるプログラムモジュールである。図２Ａは当該電話発信ＵＩの一例を示しており、「０」〜「９」の数字ボタン１００ａ、「＊」や「＃」等の記号ボタン１００ｂ、モード切り換えのためのラジオボタン１００ｃ、番号表示スペース１００ｄ、通話開始ボタン１００ｅがＵＩに含まれていることを示している。また、表示制御部３１ａは、後述する短縮ダイヤルモードにおいて、マウス７１と連動して画面内を動くポインター１００ｆが重なっている数字ボタン１００ａに対応付けて記憶されている回線番号に関連する情報の案内表示を行う機能を有している。
【００２０】
記憶部３１ｂは、短縮番号と回線番号および当該回線番号に関連する情報との対応関係を、ＨＤＤ３０を用いて記憶する機能をＰＣ１に実現させるプログラムモジュールである。例えば図２Ｂに示すように、短縮番号と、当該短縮番号に対応付ける回線番号およびその回線番号を持つ相手先の名前と、の対応関係が、記憶部３１ｂによって記憶される。本実施形態では、１〜９の一桁の数字を短縮番号とする。
切り換え部３１ｃは、短縮ダイヤルモードと直接ダイヤルモードとの切り換えを受け付ける機能をＰＣ１に実現させるプログラムモジュールである。本実施形態では、回線番号を構成する数字の全てをそのまま入力する直接ダイヤルモードと、回線番号と対応付けて記憶されている短縮番号を入力する短縮ダイヤルモードの二種類のモードがあり、ユーザーは図２Ａのラジオボタン１００ｃを操作してモードを選択することができる。
【００２１】
直接設定部３１ｄは、直接ダイヤルモードが選択されているときに、数字ボタン１００ａに対する操作に応じて回線番号の設定を受け付ける機能をＰＣ１に実現させるプログラムモジュールである。ここで操作とは、操作対象となるボタンに対応付けられた機能を実行させるように指示する行為を意味し、具体的には本実施形態のようにマウス７１のようなポインティングデバイスを備えた構成であれば、マウス７１のポインター１００ｆをボタンに重ねてクリックすることを指す。あるいはキーボード７０のカーソルキーで対象となるボタンを選択してエンターキーを押下することを指す。タッチパネルを備える構成であれば、ボタンが表示されている位置をタッチする行為を指す。
【００２２】
短縮設定部３１ｅは、短縮ダイヤルモードが選択されているときに、数字ボタン１００ａに対する操作に応じて短縮番号を受け付け、当該短縮番号に対応付けて記憶されている回線番号の設定を受け付ける機能をＰＣ１に実現させるプログラムモジュールである。
通信制御部３１ｆは、設定された回線番号に対する通信開始の指示や通信終了の指示を受け付け、それらの指示に応じて通信開始や通信終了の処理を実行する機能をＰＣ１に実現させるプログラムモジュールである。ユーザーは図２Ａに示す通話開始ボタン１００ｅを操作することにより、通信開始を指示することができる。また、通信制御部３１ｆは、マイク７３から入力された音声データを通信部４０を介して送信したり、受信した音声データをスピーカー７４に出力するための制御を行う。
変更部３１ｇは、案内表示で表示された回線番号に関連する情報や、回線番号に関連する情報と短縮番号との対応付けに対する変更を受け付ける機能をＰＣ１に実現させるプログラムモジュールである。
【００２３】
（ユーザーの操作と対応する処理内容）
直接ダイヤルモードが選択されているとき、画面内でポインター１００ｆを移動させて数字ボタン１００ａに重ねクリックすることを順に繰り返すことによってユーザーは所望の回線番号を設定することができる。制御部２０は順にクリックされた数字ボタン１００ａが示す数字を、番号表示スペース１００ｄに表示させる。直接ダイヤルモードの場合、図２Ａに示すように、ユーザーがポインター１００ｆを数字ボタン１００ａに重ねても、当該ボタンに対応付けられた回線番号などは何も表示されない。一方、モード切り換えのラジオボタン１００ｃにおいて短縮ダイヤルモードを選択した状態で、ユーザーがポインター１００ｆを数字ボタン１００ａに重ねると、制御部２０は、ポインター１００ｆが重ねられた数字ボタン１００ａが表す数字に対応付けて記憶部３１ｂによって記憶されている回線番号を含む連絡先情報３２を案内する案内表示を画面に表示させる。例えば図２Ｃに示すように、制御部２０は、案内表示１００ｇを、通信処理プログラム３１の電話発信ＵＩのポインター１００ｆが重なっている数字ボタン１００ａに対してポップアップした状態で表示させる。なお、そのようにポップアップして表示する態様に限らず、例えばメイン画面内のいずれかの予め案内表示用に確保された領域に表示されるような態様であってもよい。本実施形態では案内表示１００ｇにおいては回線番号とその回線番号を持つ相手先の名前が提示される。なお、案内表示１００ｇにおいては、回線番号だけ提示されてもよいし、名前だけ提示されてもよいし、その回線番号を持つ相手先に付随するその他の情報が一緒に提示されてもよい。
【００２４】
このように、本実施形態では、短縮ダイヤルモードにおいて、ユーザーが、マウス７１と連動して画面内を動くポインター１００ｆを、回線番号が対応付けて登録されている短縮番号を表す数字ボタン１００ａに重ねると、その数字ボタン１００ａが示す短縮番号に対応する回線番号に関連する情報が表示されるので、ユーザーはその数字ボタン１００ａをクリックする前にボタンに対応付けて記憶されている登録済みの回線番号を確認することができる。そして、回線番号が対応付けて登録されている短縮番号を示す数字ボタン１００ａをユーザーがクリックすると、制御部２０は、対応する回線番号が設定されたものとして、番号表示スペース１００ｄに、対応する回線番号を表示する。その状態で、ユーザーが通話開始ボタン１００ｅをクリックすると、制御部２０は通話開始指示を受け付け、設定された回線番号に対する通信を開始する。
【００２５】
また、図２Ｃに示すような案内表示１００ｇが表示されている状態で、ユーザーが案内表示１００ｇ上にポインター１００ｆを移動させてクリックすると、制御部２０は、案内対象の短縮番号に対応付けられた回線番号や、その相手先の名前や、回線番号と対応付けられている短縮番号の変更を入力するためのフォーム（例えば図２Ｄに示す１００ｂ）を画面に表示させる。ユーザーはキーボード７０やマウス７１を用いてそのフォーム上で文字や数字などのテキストを入力することができる。そして制御部２０は、そのフォームにおいて入力された相手先の名前を示すテキストデータや、回線番号を示すテキストデータや、短縮番号を取得し、変更の対象となった短縮番号に対応付けて記憶されていた連絡先情報を更新する。このように、本実施形態によると、ユーザーは簡易な操作によって短縮番号と対応する回線番号に関連する情報（連絡先情報３２）や、連絡先情報３２と短縮番号との対応付けを変更する（他の短縮番号と入れ換える）ことができる。
【００２６】
２．第二実施形態
第二実施形態のＰＣ１および通信処理プログラム３１の構成は第一実施形態と共通である。図３は、第二実施形態にかかる電話発信ＵＩを示している。本実施形態も、直接ダイヤルモードと短縮ダイヤルモードの二種類のモードが提供されており、短縮ダイヤルモードにおいては１〜９の９個の数字が短縮番号となる。直接ダイヤルモードが選択されている場合は、図２Ａを用いて上述した動作と同様である。本実施形態では、直接ダイヤルモードから短縮ダイヤルモードにモードが切り換えられると、制御部２０は図３に示すように、各数字ボタン１００ａが表す短縮番号に対応付けて記憶されている連絡先情報３２を案内する案内表示１００ｇをそれぞれのボタンと対応付けた状態で一度にまとめて画面に表示させる。ポインター１００ｆが特定の数字ボタン１００ａに重なっていない状態であっても、各数字ボタン１００ａが示す短縮番号に対応する回線番号が表示される。そのため、ユーザーはどの短縮番号にどの相手先が対応しているかを一度にまとめて一目瞭然に認識することができる。
【００２７】
３．第三実施形態
（構成）
図４Ａは、第三実施形態にかかる通信処理プログラム３１の構成を示しており、図４Ｂは、第三実施形態にかかる電話発信ＵＩを示している。ＰＣ１の構成は第一実施形態と共通である。本実施形態では、直接ダイヤルモードや短縮ダイヤルモード等のモードを切り換えて共通の数字ボタン１００ａを使い分けることはせず、かわりに、数字ボタン１００ａと別に短縮ダイヤル専用の短縮ダイヤルボタン１００ｉが設けている。図４Ｂに示すように本実施形態では「Ａ」〜「Ｆ」のアルファベットボタンが短縮ダイヤルボタン１００ｉに相当する。
【００２８】
表示制御部３１ａは、短縮ダイヤルボタン１００ｉと数字ボタン１００ａと通話開始ボタン１００ｅを含む電話発信ＵＩや、案内表示１００ｇを画面に表示させる機能をＰＣ１に実現させるプログラムモジュールである。記憶部３１ｂは、短縮ダイヤルボタン１００ｉのそれぞれに対応付けて回線番号を記憶する機能をＰＣ１に実現させるプログラムモジュールである。短縮設定部３１ｉは、短縮ダイヤルボタン１００ｉに対する操作を受け付け、操作された短縮ダイヤルボタン１００ｉに対応する回線番号の設定を受け付ける機能をＰＣ１に実現させるプログラムモジュールである。受け付け部３１ｈは、数字ボタン１００ａをクリックすることにより設定された回線番号を受け付ける機能をＰＣ１に実現させるプログラムモジュールである。通信制御部３１ｆ、変更部３１ｇは、第一実施形態と同様の機能を有する。
【００２９】
（ユーザーの操作と対応する処理内容）
ユーザーが短縮ダイヤルボタン１００ｉのいずれかにポインター１００ｆを重ねると、制御部２０は、当該短縮ダイヤルボタン１００ｉに予め対応づけて登録されている回線番号を含む連絡先情報を案内表示１００ｇを表示することによってユーザーに案内する。短縮ダイヤルボタン１００ｉをユーザーがクリックすると、制御部２０は、対応付けられている回線番号が設定されたものとし、番号表示スペース１００ｄに当該回線番号を表示させる。以上説明したように本実施形態では、ユーザーは、短縮ダイヤルボタン１００ｉにポインター１００ｆを重ねると、そのボタンに対応付けて登録されている回線番号を確認することができる。
【００３０】
４．第四実施形態
第四実施形態のＰＣ１の構成は第一実施形態と共通である。図５Ａは、第四実施形態にかかる電話発信ＵＩを示している。本実施形態では、直接ダイヤルモードと短縮ダイヤルモードとを切り換えるためのラジオボタンはなく（第一実施形態における切り換え部３１ｃがない）、記号と数字とを複数組み合わせることによって短縮番号を入力する仕様としている。具体的には例えば、記号「＃」で始まりその後に２桁の数字が続く形式で短縮番号を表す。したがって本実施形態では制御部２０は、記号「＃」が最初に入力されず数字が最初に入力された時点で制御部２０は短縮番号が入力されていないと判断する。
【００３１】
例えば図５Ｂに示すように、「＃０４」で表される短縮番号と、「＃０５」で表される短縮番号と、「＃１４」で表される短縮番号と「＃１５」で表される短縮番号に、回線番号が対応付けて登録されていたとする。ユーザーが記号ボタン１００ｂの「＃」をクリックした後、数字ボタン１００ａの「０」をクリックした時点では、まだ「＃０４」か「＃０５」のどちらの短縮番号をユーザーが入力しようとしているかを制御部２０は特定できない。ユーザーが数字ボタン１００ａの「０」をクリックした後に、数字ボタン１００ａの「４」にポインター１００ｆを重ねると、制御部２０は「＃０４」で表される短縮番号に対応付けて登録されている「株式会社ＡＢＣ」の回線番号および名前を図５Ａに示すように案内表示１００ｇによって案内する。なお、ユーザーが数字ボタン１００ａの「０」をクリックした後、数字ボタン１００ａの「５」にポインター１００ｆを重ねると、制御部２０は「＃０５」に対応付けて登録されている「ＤＥＦ運送サービス」の回線番号および名前を、案内表示１００ｇを表示することにより案内する。
【００３２】
なお、上記の最後から２番目の数字をクリックする前であってユーザーが記号ボタン１００ｂの「＃」をクリックした後に、例えば数字ボタン１００ａの「１」にポインター１００ｆを重ねると、「＃１」で始まる短縮番号の全て（すなわち「＃１４」で表される短縮番号と「＃１５」で表される短縮番号）についてそれぞれに対応して登録されている回線番号を表示するようにしてもよい。また、同様に、ユーザーが記号ボタン１００ｂの「＃」をクリックした後、例えば数字ボタン１００ａの「０」にポインター１００ｆを重ねると、「＃０」で始まる短縮番号の全てについてそれぞれに対応して登録されている回線番号を表示するようにしてもよい。すなわちこの場合は、「＃０４」で表される短縮番号と、「＃０５」で表される短縮番号とについて、それぞれに対応付けて登録されている回線番号を案内するようにしてもよい（例えば図５Ｃ参照）。そうすると、ユーザーは、「＃０」で始まる複数の短縮番号に関して、短縮番号と連絡先情報の対応付けを、「０」を入力する前に認識することができる。
【００３３】
このように、本実施形態によると、複数の記号や数字の組み合わせで短縮番号が表される場合も、ユーザーが短縮番号に対応するボタンをクリックする前に短縮番号に対応する回線番号を確認することができる。
【００３４】
５．他の実施形態
尚、本発明の技術的範囲は、上述した実施の形態に限定されるものではなく、本発明の要旨を逸脱しない範囲内において種々変更を加え得ることは勿論である。例えば、上記実施形態では、通信処理プログラム３１をインターネット電話アプリケーションプログラムに適用したことを想定しているが、上記実施形態で説明したような機能を持つ通信処理プログラム３１は他にも例えばファクシミリ送信アプリケーションプログラムに適用されてもよい。その場合の回線番号はＦＡＸ番号に相当する。
【符号の説明】
【００３５】
１：ＰＣ（通信処理装置）、２０：制御部、３０：ＨＤＤ、３１：通信処理プログラム、３１ａ：表示制御部、３１ｂ：記憶部、３１ｃ：切り換え部、３１ｄ：直接設定部、３１ｅ：短縮設定部、３１ｆ：通信制御部、３１ｇ：変更部、３１ｈ：受け付け部、３１ｉ：短縮設定部、３２：連絡先情報、４０：通信部、７０：キーボード、７１：マウス、７２：ディスプレイ、７３：マイク、７４：スピーカー、１００ａ：数字ボタン、１００ｂ：記号ボタン、１００ｃ：ラジオボタン、１００ｄ：番号表示スペース、１００ｅ：通話開始ボタン、１００ｆ：ポインター、１００ｇ：案内表示、１００ｉ：短縮ダイヤルボタン。
【図１】
2011130055.tif 000003
【図２】
2011130055.tif 000004
【図３】
2011130055.tif 000005
【図４】
2011130055.tif 000006
【図５】
2011130055.tif 000007